(57)【要約】【課題】監視回線の使用状態を登録する際に、終端器を接続することなく、断線検出機能を有効にして、施工現場に応じて空き回線登録が出来る火災受信機を提供する。【解決手段】空き回線登録スイッチと、上記監視回線に対応させた断線検出回路と、制御処理手段と、回線使用情報登録メモリとを備え、上記制御処理手段は、上記空き回線登録スイッチが操作されたときには、上記監視回線のうち、登録の対象とされたすべての監視回線を使用回線としてデフォルト処理して上記断線検出回路による断線検出機能を有効にした後、終端器の接続されている監視回線を使用回線、終端器の接続されていない監視回線を空き回線として、上記回線使用情報登録メモリに登録する構成にしている。【選択図】図１
2005122661.tif 000002
【特許請求の範囲】
【請求項１】
火災受信機より導出させた監視回線の使用、不使用の状態を登録する、空き回線登録機能を備えた火災受信機において、
空き回線登録初期設定スイッチと、空き回線登録スイッチと、上記監視回線に対応させた断線検出回路と、制御処理手段と、回線使用情報登録メモリとを備え、
上記制御処理手段は、上記空き回線登録初期設定スイッチが操作されたときには、上記監視回線のうち、登録の対象とされたすべての監視回線を使用回線としてデフォルト処理して上記断線検出回路による断線検出機能を有効とする一方、上記空き回線登録スイッチが操作されたときには、終端器の接続されている監視回線を使用回線、かつ終端器の接続されていない監視回線を空き回線として識別して、上記回線使用情報登録メモリに登録する構成にしている火災受信機。
【請求項２】
火災受信機より導出させた監視回線の使用、不使用の状態を登録する、空き回線登録機能を備えた火災受信機において、
空き回線登録スイッチと、上記監視回線に対応させた断線検出回路と、制御処理手段と、回線使用情報登録メモリとを備え、
上記制御処理手段は、上記空き回線登録スイッチが操作されたときには、上記監視回線のうち、登録の対象とされたすべての監視回線を使用回線としてデフォルト処理して上記断線検出回路による断線検出機能を有効にした後、終端器の接続されている監視回線を使用回線、終端器の接続されていない監視回線を空き回線として、上記回線使用情報登録メモリに登録する構成にしている火災受信機。
【請求項３】
請求項１、２のいずれかにおいて、
上記回線使用情報登録メモリは、登録された回線使用情報を、電源を遮断された後も保存する不揮発性メモリで構成されている火災受信機。
【請求項４】
請求項１〜３のいずれかにおいて、
上記デフォルト処理のための設定情報は、予め不揮発性メモリに記憶されており、上記制御処理手段は、それらの設定情報を読み出して、監視回線を使用回線に設定するようにしている火災受信機。
【請求項５】
請求項１〜３のいずれかについて、
表示部を更に備え、
上記制御処理手段は、空き回線登録後に上記回線使用情報登録メモリに保存された空き回線登録された監視回線を、上記表示部に表示させる構成にしている火災受信機。
【請求項６】
請求項１〜５のいずれかについて、
空き回線登録の対象とすべき監視回線を選択する操作部を更に備えている火災受信機。
【請求項７】
請求項１、２のいずれかについて、
上記制御処理手段は、上記空き回線登録初期設定スイッチ、空き回線登録スイッチの操作に代えて、火災受信機に設けた各種の操作スイッチを複合操作したときに、デフォルト処理あるいは、デフォルト処理後の空き回線登録を実行させる構成にしている火災受信機。
【発明の詳細な説明】
【技術分野】
【０００１】
本発明は、空き回線登録機能を備えた火災受信機の改良に関する。
【背景技術】
【０００２】
ビルやマンションなどに設置された規模の大きい火災受信機は、火災感知器や発信器などを接続付加した複数の監視回線を導出させ、それらの監視回線を監視することで、火災の検出と、監視回線の断線や短絡などの異常を検出しているが、設置現場で使用しない監視回線は、空き回線として設定して、断線、短絡検出機能を無効にしている。
近時においては、このような監視回線の使用、不使用の状態を火災受信機側で登録させる機能を備えたものが開発されており、下記の特許文献には、そのような空き回線登録機能を備えた火災受信機が提案されている。
【特許文献１】特開平７−２３４９８６号公報
【発明の開示】
【発明が解決しようとする課題】
【０００３】
しかしながら、このような火災受信機を、施工現場において、空き回線登録するためには、工場出荷時には、すべての監視回線に終端器を接続してから空き回線登録スイッチを操作することで、すべての監視回線を一旦使用回線として設定しておく必要があった。
【０００４】
また、このような構成の火災受信機では、すべての監視回線を使用回線として登録して出荷した後に、終端器を接続しない状態で空き回線登録スイッチを操作してしまうと、すべての監視回線は空き回線として登録され、断線、短絡検出機能が無効にされてしまう。そのため、その状態を知らずして、実際の施工現場で必要な監視回線に配線を行った後、空き回線登録スイッチを操作して空き回線登録を行うと、終端器の配線が正常に接続されていない監視回線は、断線、短絡検出機能が働かないままで空き回線として登録されてしまい、断線、短絡が検出されないなどの問題を生じるおそれがあった。
【０００５】
本発明は、このような問題をなくすため、空き回線登録時には、終端器を接続させることなく、空き回線登録の対象とすべき監視回線を一旦使用回線としてデフォルト処理した後に、終端器の接続の有無を判別して、空き回線登録を行い得るようにした火災受信機を提供することを目的としている。
【課題を解決するための手段】
【０００６】
上記目的を達成するために、本発明の請求項１では、空き回線登録初期設定スイッチと、空き回線登録スイッチと、上記監視回線に対応させた断線検出回路と、制御処理手段と、回線使用情報登録メモリとを備え、上記制御処理手段は、上記空き回線登録初期設定スイッチが操作されたときには、上記監視回線のうち、登録の対象とされたすべての監視回線を使用回線としてデフォルト処理して上記断線検出回路による断線検出機能を有効とする一方、上記空き回線登録スイッチが操作されたときには、終端器の接続されている監視回線を使用回線、かつ終端器の接続されていない監視回線を空き回線として識別して、上記回線使用情報登録メモリに登録する構成にしている。
【０００７】
また、請求項２の本発明は、空き回線登録スイッチと、上記監視回線に対応させた断線検出回路と、制御処理手段と、回線使用情報登録メモリとを備え、上記制御処理手段は、上記空き回線登録スイッチが操作されたときには、上記監視回線のうち、登録の対象とされたすべての監視回線を使用回線としてデフォルト処理して上記断線検出回路による断線検出機能を有効にした後、終端器の接続されている監視回線を使用回線、終端器の接続されていない監視回線を空き回線として、上記回線使用情報登録メモリに登録する構成にしている。
【０００８】
請求項３では、上記回線使用情報登録メモリは、登録された回線使用情報を不揮発性メモリに保存する構成となっており、請求項４では、上記デフォルト処理のための設定情報は、予め不揮発性メモリに記憶されているので、不用意に書き換えられたり、消されることがなく、回線使用情報やデフォルト処理のための設定情報は、停電などで電源を遮断された後も容易に回復できる。
【０００９】
請求項５では、表示部を更に備えており、上記制御処理手段は、空き回線登録後に上記回線使用情報登録メモリに保存された空き回線登録された監視回線を、上記表示部に表示させる構成にしているので、空き回線登録された監視回線を視覚により施工現場などで確認することができる。
【００１０】
請求項６では、空き回線登録の対象とすべき監視回線を選択する操作部を更に備えているので、施工現場において、空き回線登録すべき監視回線を容易に選択設定できる。
請求項７では、上記制御処理手段は、上記空き回線登録初期設定スイッチ、空き回線登録スイッチの操作に代えて、火災受信機に設けた各種の操作スイッチを複合操作したときに、デフォルト処理あるいは、デフォルト処理後の空き回線登録を実行させる構成にしているので、施工者などの特定者以外のものが空き回線登録を行うことが未然に防止できる。
この場合の複合操作としては、空き回線登録スイッチの操作を組み合わせて規定してもよい。
【発明の効果】
【００１１】
請求項１に記載の本発明によれば、空き回線登録に先駆けて、空き回線登録初期設定スイッチを操作すると、登録の対象として選択された監視回線は、ソフト処理によって、すべて使用回線に設定される。したがって、その後、実際に使用する監視回線には終端器を接続してから、回線登録スイッチを操作すれば、制御処理手段は、終端器の有無を判別して、使用回線、空き回線を識別して、回線使用情報記憶メモリに自動登録することができる。したがって、登録の対象とされるすべての監視回線が一旦使用回線に設定されるため、断線検出機能が有効になるので、終端器の配線が正常に接続されていない監視回線があれば、断線検出機能が作動して、報知がなされる。
【００１２】
また、請求項２の本発明によれば、空き回線登録初期設定スイッチを操作しなくても、請求項１と同様にして、監視回線を登録させて、監視回線の使用、不使用の情報を回線使用情報記憶メモリに登録することができるので、一層利便である。
【発明を実施するための最良の形態】
【００１３】
以下に、本発明の実施の形態について説明する。
【実施例】
【００１４】
図１は、本発明の火災受信機を用いて構成した火災報知システムの基本構成を示すブロック図である。
【００１５】
このものでは、火災受信機１には、火災感知器２や火災発信器（不図示）を接続した監視回線Ｌが導出され、それぞれの監視回線Ｌには火災受信／断線検出回路１７が接続されている。Ｒは使用する監視回線Ｌに対して、断線、短絡を検出するために接続付加される終端器である。なお、この実施例では、監視回線Ｌには、火災を受信し検出機能と、監視回線の断線、短絡検出機能を備えた火災受信／断線検出回路１７が設けられているが、本発明の構成には、少なくとも断線検出を行う回路が備わっておればよい。
【００１６】
火災受信機１は、ＣＰＵで構成された各部を制御するための制御処理手段１０と、監視回線Ｌの断線や短絡を音や光によって報知する報知部１１と、空き回線登録初期設定スイッチＳＷａ，空き回線登録スイッチＳＷｂを設け、空き回線登録すべき監視回線を選択指定できるようにした操作部１２（請求項６）と、火災発生や監視回線の異常発生時などに必要な情報を表示し、また、後述する空き回線登録後に、回線使用情報登録メモリ１５ａに保存されている回線使用情報を表示するための表示部１３（請求項５）と、火災や監視回線異常などの履歴情報や管理情報を記録紙に印字するためのプリンタ１４と、回線使用情報登録メモリ１５aを含んだ不揮発性メモリ（請求項３）、火災発生や監視回線の異常発生などの履歴情報を一時的に記憶するためのＲＡＭ１６を備えている。
【００１７】
なお、本発明では、空き回線登録時のデフォルト処理は、制御処理手段１０によるソフト処理によって行われる（請求項１，２）他、不揮発性メモリ１５内にデフォルト処理のための設定情報を記憶させておき、それを読み出して実行できるようにしてもよい（請求項４）。
【００１８】
ついで、本発明の火災受信機における基本動作を説明する。
図２のステップ１００〜１０７に示すフローチャートでは、空き回線登録初期設定スイッチ、空き回線登録スイッチを用いずに、各種の操作スイッチを複合化させることによって、空き回線登録初期設定（デフォルト処理）、空き回線登録を実行する例について説明するが、本発明では、空き回線登録初期設定スイッチ、空き回線登録スイッチを用いた処理を除外しないことは言うまでもない。
【００１９】
火災受信機１の使用すべき監視回線Ｌに終端器Ｒを接続した後、空き回線登録操作を行う。ここに空き回線登録は、特定の者以外が実行できないように、所定の操作を複合化させているので、制御処理手段１０は、操作部１２が操作されたときに、そのような操作かどうかを判断し、そうであれば、選択されているすべての監視回線Ｌをデフォルト処理によって、使用回線に設定する（ステップ１００→１０２）。
【００２０】
このようなデフォルト処理は、回線使用情報登録メモリ１５ａを初期化することで行われるが、前述したように、不揮発性メモリ１５に予め保存した設定情報として読み取ってもよい。
【００２１】
ついで、制御処理手段１０は、登録の対象とされた監視回線Ｌのそれぞれについて、終端器Ｒが接続されているかどうかを識別し、終端器Ｒの接続されているものは、使用回線、接続されていないものは空き回線として、使用情報登録メモリ１５ａに登録するが、このとき、すべての監視回線Ｌは、デフォルト処理によって一旦、使用回線として設定され、断線検出機能が有効となっているので、終端器Ｒのない監視回線Ｌや、終端器Ｒがあっても、正しく接続していない監視回線Ｌがあれば、報知部１１でアラームが出力されたり、表示部１３にアラーム表示がなされるので、施工業者は、それらの状態がその場で確認でき、このようにして、制御処理手段１０が選択されたすべての監視回線について識別した監視回線の使用情報は、不揮発性の回線使用情報登録メモリ１５ａに登録保存されるので、停電などで電源が遮断されても、容易に回復させることができる（ステップ１０３→１０６）。
【００２２】
以上の基本動作は、空き回線登録の実行時に、火災受信機１に終端器Ｒを接続した後、空き回線登録初期設定スイッチＳＷａ、あるいはそれに相当する複合操作を行って監視回線Ｌを一旦デフォルト処理し、その後は、さらに、監視回線Ｌについて終端器Ｒの接続有無を判別して、空き回線登録を行う処理（請求項２、請求項７）について説明しているが、デフォルト処理と、空き回線登録処理とを分離しても良く、その場合には、デフォルト処理を行ってから、火災受信機に終端器を接続してから、空き回線登録スイッチ、あるいはそれに相当する複合操作を行う。後者の場合、各種の操作スイッチには、空き回線登録初期設定スイッチ、空き回線登録スイッチを含んでも良い。例えば、操作部に設けた点検モードスイッチを操作して、点検モードに入った後に、空き回線登録スイッチを操作したときに、デフォルト処理を行うような態様も可能である（請求項１、請求項７）。
【００２３】
図２のステップ１０７は、デフォルト処理のみが実行される場合の動作を示しており、ステップ１０２と同様にして、回線使用情報登録メモリ１５ａを初期化したり、不揮発性メモリ１５に保存された、監視回線Ｌの使用設定情報（使用回線としての設定情報）を読み取って、登録の対象となっている監視回線Ｌはすべて使用回線であるとして設定される。
【００２４】
図３のステップ２００〜２０６は、空き回線登録がなされた後に実行される表示確認処理の基本動作を示している。
【００２５】
制御処理手段１０は、以上のようにして空き回線登録を実行させた後は、回線使用情報登録メモリ１５ａを読み取って、使用回線であるかどうかを判別して、使用回線であれば、確認音を出力させて、使用回線であることの表示、そうでなければ、アラームを表示させて空き回線であることの表示を行う（請求項５）。
したがって、このような基本処理をなす受信機１においては、空き回線登録後に、登録対象とされた監視回線が使用回線、不使用回線のいずれに登録されているのかを現場施工しながら、確認ができ、利便である。
【００２６】
また、このような表示確認処理は、図３のフローチャートでは、監視回線の１回線ごとに順番に行っているが、この例には限られず、全回線について読み取った後に、各々の監視回線についての使用、不使用情報を一括表示してもよいし、また、図２の登録処理のあとに、一連の処理として実行させて、施工現場で確認できるようにすれば、一層便利である。
【産業上の利用可能性】
【００２７】
本発明は、集合住宅、オフィスビル、各種建物などで広く使用される、比較的大型の火災受信機に適用できる。
【図面の簡単な説明】
【００２８】
【図１】本発明の火災受信機を用いた火災報知システムの概略基本構成を示すブロック図である。
【図２】本発明システムにおける空き回線登録処理の基本動作を説明するためのフローチャートである。
【図３】空き回線登録後の表示確認処理の基本動作を説明するためのフローチャートである。
【符号の説明】
【００２９】
１・・・火災受信機
２・・・火災感知器
１０・・・制御処理手段
１２・・・操作部
１５・・・不揮発性メモリ
１５ａ・・・回線使用情報登録メモリ
１６・・・ＲＡＭ
１７・・・断線検出回路
Ｌ・・・監視回線
Ｒ・・・終端器
【図１】
2005122661.tif 000003
【図２】
2005122661.tif 000004
【図３】
2005122661.tif 000005